(57)【要約】【課題】構成が簡単で、安価でしかも、確実に然も容易に適宜の表示板を着脱自在に装着、取り替えが可能な表示具保持装置を提供する。【解決手段】表示具２を係止し保持する表示具支持部３を搭載している表示具支持部取付用平板４と、任意の表示具取り付け可能面３０に接合固定可能な基板６を有し、表示具支持部取付用平板４を摺動可能に且つ着脱自在に係止する平板受け溝部７が基板６の周縁部の設けられていると同時に基板６の周縁部の一部に当該平板の落下防止部８と平板の当該溝部７への挿入開口部９とが設けられている平板係止部材５とから構成されている表示具保持装置１であって、溝部７の高さが平板４の厚みと同一か若干大きくなるように設定されており、且つ当該溝部７内には、平板４と接触する突起部１０が設けられている表示具保持装置１。【選択図】図１
0003125240.tif 000002
【実用新案登録請求の範囲】
【請求項１】
適宜の表示具を係止し保持する表示具支持部を搭載しているか或いは搭載可能な表示具支持部取付用平板と、
適宜の幕板面或いは壁面を含む任意の表示具取り付け可能面に接合固定可能な基板を有し、当該表示具支持部取付用平板を摺動可能に且つ着脱自在に係止する当該平板受け溝部が当該基板の周縁部の少なくとも一部に相互に対向する様に設けられていると同時に当該基板の周縁部の一部に当該平板の落下防止部と当該平板の当該溝部への挿入開口部とが設けられている平板係止部材と、
から構成されている表示具保持装置であって、当該溝部の高さが当該平板の厚みと同一か或いは若干大きくなるように設定されており、且つ当該基板の当該平板と対向する面の一部であって当該平板落下防止部に近接する部位に少なくとも１つの突起部が設けられており、且つ当該平板の当該基板面と対向する面に於ける少なくとも１つの端部近傍に当該突起部と係合する突起係合部が設けられている事を特徴とする表示具保持装置。
【請求項２】
当該平板に於ける当該突起係合部は、当該平板の当該溝部への挿入離脱方向に対向する端部の少なくとも一方の端部に設けられている事を特徴とする請求項１に記載の表示具保持装置。
【請求項３】
当該突起部及び当該突起係合部の断面形状は、半円形、半楕円形、三角形或はこれらの変形形状のいずれか１つで構成されている事を特徴とする請求項１又は２記載の表示具保持装置。
【請求項４】
当該平板係止部材の当該基板には、螺子孔若しくは螺子孔開口予定部が設けられている事を特徴とする請求項１乃至３の何れかに記載の表示具保持装置。
【請求項５】
当該平板係止部材の当該基板に於ける任意の表示具取り付け可能面と対向する面に両面接着材が設けられている事を特徴とする請求項１乃至４の何れかに記載の表示具保持装置。
【請求項６】
当該表示具支持部取付用平板には、予め適宜の表示具支持部が搭載されている事を特徴とする請求項１乃至５の何れかに記載の表示具保持装置。
【請求項７】
当該表示具支持部取付用平板は、当該表示具の種類、当該表示具支持部の種類、或いは当該表示具支持部の支持機能の劣化等に応答して、使用中の表示具支持部取付用平板と別の表示具支持部取付用平板とを当該平板係止部材に於いて差替自在に構成されている事を特徴とする請求項１乃至６の何れかに記載の表示具保持装置。
【請求項８】
当該平板係止部材に於ける当該基板の周縁部の一部に設けられた当該平板の落下防止部と当該平板の挿入開口部とは、互いに対向した当該基板の周縁部に設けられており、且つ当該平板係止部材は、当該挿入開口部が垂直上方に位置する様に、当該表示具取り付け可能面に接合固定されている事を特徴とする請求項１乃至７の何れかに記載の表示具保持装置。
【考案の詳細な説明】
【技術分野】
【０００１】
本考案は、パチンコ機或いはスロットマシン若しくはゲーム機等の表示具或いは商店、デパート、スーパー、コンビニ、ディスカウントショップ等に於ける商品陳列棚や広告宣伝ボード等の表示具の保持装置に関するものである。
【背景技術】
【０００２】
従来から、パチンコ店等では、多数のパチンコ機或いはスロットマシン若しくはゲーム機等が配置され同時に稼動しており、それらのうちの個々のパチンコ機或いはスロットマシン若しくはゲーム機が現在どのような状態になっているかを知ることは、パチンコ店等の従業員にとっては、管理上必要なことであり、一方ユーザーにとってもその情報は、遊戯する上で貴重な情報である。
【０００３】
例えば、特定のパチンコ機或いはスロットマシン若しくはゲーム機が現在如何なる状態にあるのかを瞬時に従業員或いはユーザーが判別できるようにする為に、大型の表示板を使用するとか特定の色柄を持つフラグを立てるとかの方法を採用しており、且つそれぞれの表示具は頻繁に取り替えて使用するのが殆どである。
【０００４】
同様に、本屋に於ける書棚或いは商店、デパート、スーパー、コンビニ、ディスカウントショップ等に於ける商品陳列棚等でも、ベストセラー書物とか、チラシ広告商品、特売セール対象商品、更には日替わりサービス商品等を顧客に強くアッピールする為に、比較的大きな表示具を使用してセールスポイントを掲載した紙製、プラスチックフィルム製、或いはそれらの板状体を適宜の表示具支持部に差し込んで掲示しており、それを日替わり、週替わり等の時間間隔で頻繁に取替えながら使用している。
【０００５】
然しながら、一般的に使用されている当該表示具を所定の場所に掲示保持する表示具保持装置３１の一例としては、図６に示されている通り、パチンコ機或いはスロットマシン若しくはゲーム機３２等が配置されている幕板３０上に、主としてプラスチック製で一体的に成型された本体部２０を有し、当該本体部２０は、基板２１の両端部から所定の角度で個別に延展された一対の板状体２２、２３が相互に接触する位置２４から当該本体部２０の内部空間内を下方に向けて屈折されて形成された一対のスリット板状体２５、２６間に所望の表示具２を挿入して保持する様に構成された表示具保持装置３１が示されている。
【０００６】
然しながら、係る従来の表示具保持装置に於いては、当該スリット２９間に発生する当該表示具の狭持把持力は、当該プラスチック材料の塑性、弾性による反発力のみであるから、挿入された当該表示具表示プレートを強く挟持することはできず、従って大型の表示具を使用することは困難であると共に、如何に通常の大きさの表示具を使用したとしても長期間使用している間に当該スリット部２９が徐々に開拡され、当該表示具を保持する機能が失われるので、早期に交換する必要があるという問題があった。
【０００７】
又、当該表示具２も状況によって、種々の異なる表示具２を取替えて使用する必要があり、例えば、プラスチック板からなる表示具を使用していた後に旗を当該表示具として使用する場合等がありうるが、従来の表示具保持装置では、一つの表示具保持装置には多目的な機能を有するものがなく、従ってその場合も当該表示具保持装置の全てを交換する事が必要であった。
【０００８】
処で、上記した従来の表示具保持装置では、当該表示具保持装置を直接パチンコ機或いはスロットマシン若しくはゲーム機等に於いて使用される幕板或いは壁面或いは商店、デパート、スーパー、コンビニ、ディスカウントショップ等に於ける商品陳列棚等の側壁板面或いは壁面に直接螺子止め或いは両面接着材等で接合固定するものである。
【０００９】
従って、当該表示具保持装置を当該幕板或いは側壁板或いは壁面から取り外す際には、当該螺子を外す必要があり操作が複雑で時間が係るという問題の他、幕板或いは壁面の塗装や壁紙を破壊する事も多く、その補修にかなりのコストが係るという問題もあった。
【考案の開示】
【考案が解決しようとする課題】
【００１０】
従って、本考案の目的は、上記した従来に於けるパチンコ機等或いは商品陳列台等に於ける表示具保持装置での問題点を解消し、構成が簡単で、安価でしかも、確実に然も容易に適宜の表示具を着脱自在に装着、取り替えが可能な表示具保持装置を提供するものである。
【課題を解決するための手段】
【００１１】
本考案は、上記目的を達成するために、以下に示す様な基本的技術構成を採用するものである。
即ち、本考案に係る表示具保持装置は、適宜の表示具を係止し保持する表示具支持部を搭載しているか或いは搭載可能な表示具支持部取付用平板と、適宜の幕板面或いは壁面を含む任意の表示具取り付け可能面に接合固定可能な基板を有し、当該表示具支持部取付用平板を摺動可能に且つ着脱自在に係止する当該平板受け溝部が当該基板の周縁部の少なくとも一部に相互に対向する様に設けられていると同時に当該基板の周縁部の一部に当該平板の落下防止部と当該平板の当該溝部への挿入開口部とが設けられている平板係止部材と、から構成されている表示具保持装置であって、当該溝部の高さが当該平板の厚みと同一か或いは若干大きくなるように設定されており、且つ当該基板の当該平板と対向する面の一部であって当該平板落下防止部に近接する部位に少なくとも１つの突起部が設けられており、且つ当該平板の当該基板面と対向する面に於ける少なくとも１つの端部近傍に当該突起部と係合する突起係合部が設けられている表示具保持装置である。
【考案の効果】
【００１２】
本考案に於ける当該パチンコ機等の表示具は、上記した様な技術構成を採用しているので、構成が簡単で、安価でしかも、確実に当該表示具の把持力を喪失した表示具支持部や、異なる表示具を支持しうる表示具支持部を着脱自在に容易に且つ迅速に取り替えが可能な表示具保持装置が得られるのである。
【考案を実施するための最良の形態】
【００１３】
以下に、本考案にかかる表示具保持装置の具体的な構成の例を図面を参照しながら詳細に説明する。
即ち、図１は、本考案に係る表示具保持装置の一具体例の構成を示すものであって、図中、適宜の表示具２を係止し保持する表示具支持部３を搭載しているか或いは搭載可能な表示具支持部取付用平板４と、適宜の幕板面或いは壁面を含む任意の表示具取り付け可能面３０に接合固定可能な基板６を有し、当該表示具支持部取付用平板４を摺動可能に且つ着脱自在に係止する当該平板受け溝部７が当該基板６の周縁部の少なくとも一部に相互に対向する様に設けられていると同時に当該基板６の周縁部の一部に当該平板の落下防止部８と当該平板の当該溝部への挿入開口部９とが設けられている平板係止部材５とから構成されている表示具保持装置１であって、当該溝部７の高さが当該平板４の厚みと同一か或いは若干大きくなるように設定されており、且つ当該基板６の当該平板４と対向する面４１の一部であって該平板落下防止部８に近接する部位に少なくとも１つの突起部１００が設けられており、且つ当該平板４の当該基板６と対向する面４２に於ける少なくとも１つの端部４３近傍に当該突起部１００と係合する突起係合部１０１が設けられている表示具保持装置１が示されている。
【００１４】
本考案に於いて使用される当該表示具２の材料、形状或いはサイズ等は特に限定されるものではなく、任意の形状或いは大きさのものが使用でき、又当該表示具２に示される表示内容も特定されるものではない。
【００１５】
又、本考案に於いて使用される当該表示具２は、例えば、適宜の紙或いはフィルムに適宜の文字或いは画像を表示したもの或いはそれらの表裏両面に適宜の合成樹脂からなるカバーフィルム等でサンドイッチ状に相互に張り合わせラミネート加工により構成されたもの等が使用出来る。
【００１６】
尚、本考案に於いては、当該表示具２の一つとして図２（Ｄ）に示す様に、小型の旗及び旗竿を使用することも可能である。
一方、本考案に於いて使用される当該表示具支持部３の構造、形状、寸法等も特に限定されるものではないが、その構造或いは形状の一例を図３に示す。
【００１７】
即ち、図３（Ａ）に示す表示具支持部３は、図６に於いて説明した従来例の典型的な表示具支持部３１と同一の構成を有するものであり、図３（Ｂ）は、基板２１上に形成された湾曲状の一対の板状体２７、２８がその湾曲状の部分の一部で相互に接触してその部分にスリット２９を形成した構成の表示具支持部３が示されている。
【００１８】
一方、図３（Ｃ）は、上記した板状体若しくは湾曲状部材間でスリットを形成するのに対して、一対の円筒体３３、３４を使用して当該両円筒体３３、３４の接合部位にスリット２９を形成する様に構成された表示具支持部３を示しており、更には、図３（Ｄ）では、上記した平板状の表示具２に替えて、当該表示具２として旗及び旗竿を使用する場合に対応して、当該旗竿が挿入されてそこで支持される旗竿保持部３５を適宜の補助部３６を介して適宜の基板２１に接合させた表示具支持部３が示されている。
【００１９】
つまり、本考案では、複数種類の当該表示具支持部３をそれぞれ多数個を用意しておき、当該表示具２の形状や大きさが変更された場合に、適切な構造を有する表示具支持部３を適宜選択して現在使用中の当該表示具３と交換するか、或いは現在使用中の当該表示具３の表示具把持力が低下した場合には、同一の形状の表示具支持部３で新品の表示具支持部３を現在使用中の当該表示具支持部３と交換する様に使用するものである。
【００２０】
本考案の特徴は、上記交換操作に際して、容易に且つ短時間に交換することが可能でコストがかからない表示具保持装置１が提供される事である。
本考案に於いては、上記した図３に示すそれぞれの表示具支持部３を適宜の厚みと大きさ並びに適宜の形状を有する表示具支持部取付用平板４を予め多数個用意しておくものであり、即ち、上記した様な、異なる表示具支持部３を個別に当該表示具支持部取付用平板４上に搭載するように構成されているものであっても良く、当該表示具支持部取付用平板４に予め異なる表示具支持部３を個別に搭載しておくものであっても良い。
【００２１】
つまり、当該表示具支持部３と当該表示具支持部取付用平板４とを予め一体的に成型したものを使用する事も可能である。
具体的には、当該表示具支持部取付用平板４の一方の表面に予め、適宜の接合手段、例えば、螺子手段、はめ込み手段、両面接着テープ、接着剤、溶接、超音波溶接等の手段により当該表示具支持部３の一つを選択してその基板部２１を当該表示具支持部取付用平板４に固定接合させたものであっても良く、或いは、当該異なる表示具支持部３のそれぞれの基板部２１の裏面に例えば両面接着テープ３７を予め取り付けておき、必要に応じて当該表示具支持部取付用平板４の一方の表面上に必要とされる当該表示具支持部３の一つを接合固定する様に構成したものであっても良い。
【００２２】
係る後者の具体例では、使用する当該表示具支持部取付用平板４そのものを継続的に使用することになるので、その数が制限できるので、コスト的には安価となる。
一方、本考案に於いて使用される当該平板係止部材５は、その形状、大きさは特に限定されるものではなく、使用用途或いは使用場所、或いは使用される当該表示具支持部３の大きさ等によって適宜変更して使用する事が出来る。
【００２３】
特に、本考案に係る当該平板係止部材５の構成は、図１及び図５に示されている様に、適宜の幕板面或いは壁面を含む任意の表示具取り付け可能面３０に接合固定可能な基板６を有し、当該表示具支持部取付用平板４を摺動可能に且つ着脱自在に係止する当該平板受け溝部７が当該基板６の周縁部の少なくとも一部、例えば、当該基板６の左右両側８１、８２の一部若しくは全部の範囲に、その溝開口部７１、７２が相互に対向する様に設けられている事が望ましい。
【００２４】
当該溝部７の断面形状は図５に示す様なコの字型の断面形状を有するもので有っても良く、或いはその断面が湾曲状を呈するもの或いはその他の断面形状を呈するもので有っても良いことは言うまでも無い。
【００２５】
更に、本考案に於ける当該平板係止部材５に於いては、当該基板６の周縁部の一部、つまり、当該平板係止部材５の当該基板６に於ける最下端部８３に適宜の当該平板４が当該溝部から落下、脱落しない様にするための落下防止部材８が設けられていると共に、当該平板４を当該溝部７内に挿入する為の挿入開口部９が、当該落下防止部材８と対向して当該平板係止部材５の当該基板６の上端縁部に設けられている事が望ましい。
【００２６】
更に、本考案に於ける当該平板係止部材５は、図示の様に、当該挿入開口部９を垂直上方に位置する様に、螺子手段８５、８７或いは両面接着テープ等の接着手段８６を利用して、当該表示具取り付け可能面３０に接合固定されるものである。
【００２７】
即ち、本考案に於ける当該平板係止部材５の当該基板６には、適宜の個数の螺子孔部８７を予め設けておくことも可能であり、又当該基板６の当該表示具取り付け可能面３０と対向する面４５に予め両面接着テープ８６等を貼着させておく事も可能である。
【００２８】
即ち、本考案に於ける当該表示具保持装置１は、実際の使用態様は、図１（Ａ）に示す通りであるが、その直前の操作状態は図１（Ｂ）に示す様に、予め所望の構造を有する選択された当該表示具支持部３が搭載されている当該表示具支持部取付用平板４若しくは当該表示具支持部３が搭載されていない当該表示具支持部取付用平板４の何れかを、予め適宜の幕板或いは壁面に固定されている当該平板係止部材５の当該溝部７内に嵌合する様に、当該平板挿入開口部９から摺動挿入させることにより表示具保持装置１が完成する。
【００２９】
本考案に於ける当該表示具保持装置１の全ての構成材料は、特に限定されないが、金属材料、合成樹脂材料、複合材料等が使用されるが、特には合成樹脂材料で構成されることが望ましく、例えば、アクリル系合成樹脂、ＡＢＳ系合成樹脂、ポリカーボネート系合成樹脂等が使用可能であり、又金属としては、アルミや鉄が使用可能である。
【００３０】
本考案で使用される当該表示具支持部取付用平板４の厚みＴは、特に限定されるものではないが、例えば、１．９ｍｍに設定する事が可能である。
従って、当該表示具支持部取付用平板４の厚みが上記の設定である場合には、当該平板係止部材５の溝部７の高さＬも１．９ｍｍ若しくはそれよりも若干長くなるように設定される事が望ましい。
【００３１】
更に、本考案に於ける当該基板６の当該平板４と対向する面４１の一部であって当該平板落下防止部８に近接する部位に少なくとも１つの突起部１００が設けられている事が望ましい。
【００３２】
当該突起部１００は、図１（Ｂ）に示す様に、当該基板６の面４１に於ける当該両溝部７間の略中央部であることが望ましいがこれに限定されるものではなく、又その個数も１個のみでなく複数個設ける事も可能である。
又、当該突起部１００は、当該平板落下防止部８から数ｍｍ離れて配置されている事が好ましい。
【００３３】
又、当該突起部１００の高さ或は断面形状も特に限定されるものではないが、その高さは、当該平板４の厚み及び当該溝部７の高さ等を勘案して設定される事が望ましく、実際には、数ｍｍ以下である事が好ましい。
【００３４】
更に当該突起部１００の断面形状は例えば、半円形、半楕円形、三角形或はこれらの変形形状のいずれか１つで構成されている事が望ましく、後述する当該平板４に設けられる当該突起係合部１０１との間で相互に係合離脱が容易に実行できる様な形状を採用する事が好ましい。
【００３５】
一方、本考案の当該平板４に於ける当該基板６の一方の面４１と対向する面４２に於ける少なくとも１つの端部４３の近傍に当該突起部１００と係合する突起係合部１０１が設けられる事が望ましく、その配置位置は、当該基板６に設けられている当該突起部１００の配置位置との関係で決定される事が望ましい。
【００３６】
かかる構成を採用する事によって、当該平板４は図５（Ｃ）に示す様に当該突起部１００と当該突起係合部１０１とが相互に係合しあって当該溝部７内に係止固定される。
【００３７】
当該突起係合部１０１の個数も特に特定されるものではなく、又、当該突起係合部１０１の高さ或は断面形状も特に限定されるものではないが、その高さは、当該平板４の厚み及び当該溝部７の高さ及び当該突起部１００の高さ等を勘案して設定される事が望ましく、実際には、数ｍｍ以下である事が好ましい。
【００３８】
更に当該突起係合部１０１の断面形状は例えば、半円形、半楕円形、三角形或はこれらの変形形状のいずれか１つで構成されている事が望ましく、当該突起部１００との間で相互に係合離脱が容易に実行できる様な形状を採用する事が好ましい。
【００３９】
又、本考案における当該突起係合部１０１は、当該平板４の当該溝部７への挿入離脱方向に対向する端部４３の少なくとも一方の端部に設けられることが望ましく、場合によっては、双方の端部４３に設ける事も可能である。
【００４０】
又、本考案に係る当該表示具保持装置１の当該表示具支持部取付用平板４の平面形状は、上記具体例では矩形の例を示したが、場合によっては当該表示具支持部取付用平板４の形状は、Ｕ字型、半球型、楕円型、多角形型等の形状を採用する事も可能である。
【００４１】
同様に、当該平板係止部材５の溝部７の配列形状は、当該平板４の両側縁に沿って互いに平行に配列されている例を示したが、上記した表示具支持部取付用平板４の形状に合わせて、Ｕ字型、半球型、楕円型、多角形型等の形状に配列されている場合で有っても良い。
【００４２】
一方、本考案に於ける当該表示具支持部取付用平板４とそれを受ける当該平板係止部材５の平面形状が矩形である場合で、その長軸が垂直方向に設定されている例を示したが、場合によっては、その長軸が水平方向に設定される幅広の表示具支持部取付用平板４を使用する事も可能である。
【００４３】
同様に、上記具体例では、一つのパチンコ機、スロットマシン若しくはゲーム機等に一つの表示具保持装置１を配置する例を説明したが、実際には、２個或いは３個等、複数個の当該表示具保持装置１を左右或いは上下方向に連続して配置し、複数種類の当該表示具を同時に表示する事も可能である。
【００４４】
本考案に於いては、上記した様に、当該表示具支持部取付用平板４は、当該表示具２の種類、当該表示具支持部の種類、或いは当該表示具支持部３の支持機能の劣化等に応答して、使用中の表示具支持部取付用平板４と別の表示具支持部取付用平板４とを当該平板係止部材５に於いて差替自在に構成されているものであるから、当該平板係止部材５を当該幕板或いは所定の壁面に固定したままで、当該表示具支持部３を所望の構成を有する当該表示具支持部３に任意に且つ自由に然も短時間に容易に交換処理する事が出来るので、効率的であると同時にコストを大幅に削減する事が可能となる。
【００４５】
更に、本考案では、当該表示具支持部取付用平板４は共通的に使用する事が出来るので、その分、コスト削減に寄与させる事も可能である。
又、本考案に係る当該表示体保持具１は、パチンコ機或いはスロットマシン若しくはゲーム機等の幕板部、表示具として使用される他、本屋に於ける書棚或いは商店、デパート、スーパー、コンビニ、ディスカウントショップ等に於ける商品陳列棚、更には自動出札機、自動販売機等の機台若しくは枠台、又は、商品生産工場或いは研究室の装置や製品、部品或いは原材料若しくは試料等の載置棚の一部、観客用の座席の表示部に設けられて有効に使用される事が出来る。
【図面の簡単な説明】
【００４６】
【図１】図１は、本考案に於ける表示具保持装置の一具体例の構成を説明する斜視図である。
【図２】図２は、本考案に於ける表示具の具体例を示す図である。
【図３】図３は、本考案に於ける表示具支持部の具体例の構成を示す図である。
【図４】図４は、本考案に於ける表示具支持部取付用平板の具体例の構成を示す図である。
【図５】図５は、本考案に於ける平板係止部材の具体例の構成を示す図である。
【図６】図６は、従来の表示具保持装置の一例を説明する図である。
【符号の説明】
【００４７】
１．  表示具保持装置
２．  表示具
３．  表示具支持部
４．  表示具支持部取付用平板
５．  平板係止部材
６．  基板部
７．  溝部
８．  底部
９．  挿入開口部
２０．  本体部
２１．  基板
２２、２３．板状体
２４．  接触位置
２５、２６．一対のスリット板状体
２７、２８．湾曲状の一対の板状体
３３、３４．一対の円筒体
３５．  旗竿保持部
３６．  補助部
３７．  両面接着テープ
７１、７２．溝開口部
８１、８２．基板の左右両側
８３．  最下端部
８５．  螺子手段
８６．  接着手段
８７．  螺子孔部
１００．  突起部
１０１．  突起係合部
【図１】
0003125240.tif 000003
【図２】
0003125240.tif 000004
【図３】
0003125240.tif 000005
【図４】
0003125240.tif 000006
【図５】
0003125240.tif 000007
【図６】
0003125240.tif 000008